(57)【要約】【課題】災害時等に蓄電電力を有効に活用することのできる蓄電式空気調和装置を提供する。【解決手段】蓄電式空気調和装置１００を外部電源３０から供給される外部電力を蓄電可能な蓄電池２１と、蓄電池２１から蓄電電力の供給を受けて空気調和動作を行う空気調和ユニット１０と、蓄電池２１の蓄電電力を外部機器に供給可能な蓄電電力供給部２５と、蓄電池２１の蓄電残量を検出する残量検出部２６ａと、前記外部電力の供給が遮断された場合に少なくとも所定の最小蓄電電力を前記蓄電電力供給部を介して前記外部機器に供給できるように、予め設定された最小蓄電残量を保持した状態で前記蓄電池から前記空気調和ユニットに対する蓄電電力の供給を行う給電制御部２８とを備える構成とする。【選択図】図３
2008128605.tif 000002
【特許請求の範囲】
【請求項１】
外部電源から供給される外部電力を蓄電可能な蓄電池と、
前記蓄電池から蓄電電力の供給を受けて空気調和動作を行う空気調和ユニットと、
前記蓄電池の蓄電電力を外部機器に供給可能な蓄電電力供給部と、
前記蓄電池の蓄電残量を検出する残量検出部と、
前記外部電力の供給が遮断された場合に少なくとも所定の最小蓄電電力を前記蓄電電力供給部を介して前記外部機器に供給できるように、予め設定された最小蓄電残量を保持した状態で前記蓄電池から前記空気調和ユニットに対する蓄電電力の供給を行う給電制御部と、
を備えることを特徴とする蓄電式空気調和装置。
【請求項２】
請求項１記載の蓄電式空気調和装置において、
前記外部機器には非常灯が含まれること、
を特徴とする蓄電式空気調和装置。
【請求項３】
請求項２記載の蓄電式空気調和装置において、
周囲の明るさを検出する明るさ検出部を有し、
前記給電制御部は、前記周囲の明るさが予め設定された所定の明るさよりも暗い場合に、前記非常灯に前記蓄電電力を供給するように制御すること、
を特徴とする蓄電式空気調和装置。
【請求項４】
請求項１〜３のいずれか一項に記載の蓄電式空気調和装置において、
内部電源として自然力を利用した発電装置を備え、
この発電装置により発電された発電電力を空気調和ユニット及び／又は蓄電池に供給可能に構成されること、
を特徴とする蓄電式空気調和装置。
【発明の詳細な説明】
【技術分野】
【０００１】
本発明は、蓄電池を備え、蓄電池に蓄電された蓄電電力を利用して空調動作を行うことのできる蓄電式空気調和装置に関する。
【背景技術】
【０００２】
従来、蓄電池を備え、電力需要の少ない夜間に蓄電池の充電を行い、昼間に蓄電池を放電させて蓄電電力を利用して空気調和動作を行う蓄電式空気調和装置が知られている（例えば、特許文献１参照。）。
【特許文献１】特開２００２−３０９９２７号公報
【発明の開示】
【発明が解決しようとする課題】
【０００３】
ところで、蓄電式空気調和装置は学校等の公共施設に導入される場合が多い。学校等の公共施設は台風、地震等の災害時の避難場所に指定されていることが多い。このような災害時には停電が起こる場合があるが、蓄電式空気調和装置の蓄電池は主として空気調和動作にのみ使用されていた。
本発明の課題は、災害時等に蓄電電力を有効に活用することのできる蓄電式空気調和装置を提供することにある。
【課題を解決するための手段】
【０００４】
上記課題を解決するため、本発明の蓄電式空気調和装置は、外部電源から供給される外部電力を蓄電可能な蓄電池と、前記蓄電池から蓄電電力の供給を受けて空気調和動作を行う空気調和ユニットと、前記蓄電池の蓄電電力を外部機器に供給可能な蓄電電力供給部と、前記蓄電池の蓄電残量を検出する残量検出部と、前記外部電力の供給が遮断された場合に少なくとも所定の最小蓄電電力を前記蓄電電力供給部を介して前記外部機器に供給できるように、予め設定された最小蓄電残量を保持した状態で前記蓄電池から前記空気調和ユニットに対する蓄電電力の供給を行う給電制御部とを備えることを特徴とする。
【０００５】
ここで、所定の最小蓄電電力は、予め設定された最小蓄電残量に対応する値である。
また、最小蓄電残量は、ユーザ等が災害時等の停電時に外部機器に供給すべき電力量等を想定して適宜設定することができ、具体的には、蓄電容量の１／２、１／３等、任意の容量（例えば、ＫＷｈ）を設定することができる。また、外部機器としては、次に説明する非常灯の他、テレビやラジオあるいは携帯電話等の通信機器を充電するための充電器等、各種機器が含まれる。
【０００６】
上記構成によれば、給電制御部は、蓄電池から空気調和ユニットに蓄電電力を供給するに際し、外部電力の供給が遮断された場合に少なくとも予め設定された最小蓄電電力を蓄電電力供給部に供給できるように、少なくとも予め設定された最小蓄電残量以上の蓄電残量を保持するので、例えば、災害時等に停電が起こり、外部電源から外部電力の供給が遮断された場合に、蓄電電力供給部に少なくとも最小蓄電量の蓄電電力を供給することができ、例えば、災害時に停電が起こっても蓄電電力供給部に外部機器を接続することにより外部機器を作動させることができる。
【０００７】
また、上記構成の蓄電式空気調和装置において、前記外部機器には非常灯が含まれることが好ましい。
ここで、非常灯は蓄電式空気調和装置の筐体等に設置するものとしてもよいし、蓄電式空気調和装置と離れた位置に設置してもよい。
上記構成によれば、外部電源から外部電力の供給が遮断された場合であっても、蓄電池には最小蓄電残量の蓄電容量があるので、災害時等に停電が起こった場合でも、非常灯に蓄電電力を供給して、非常灯を点灯させることができる。
【０００８】
また、上記構成の蓄電式空気調和装置において、周囲の明るさを検出する明るさ検出部を有し、前記給電制御部は、前記周囲の明るさが予め設定された所定の明るさよりも暗い場合に、前記非常灯に前記蓄電電力を供給するように制御することが好ましい。
上記構成によれば、給電制御部は、周囲の明るさが予め設定された所定の明るさよりも暗い場合に、非常灯に蓄電電力を供給するように制御するので、周囲が暗く点灯の必要がある場合にのみ非常灯に蓄電電力を供給することができる。
【０００９】
また、上記構成の蓄電式空気調和装置において、内部電源として自然力を利用した発電装置を備え、この発電装置により発電された発電電力を空気調和ユニット及び／又は蓄電池に供給可能に構成されることが好ましい。
ここで、自然力を利用した発電装置として、例えば、太陽光発電装置、風力発電装置等が挙げられる。
上記構成によれば、外部電源としての商用電源からの外部電力の供給が停止した場合でも、自然力を利用した発電装置から供給される発電電力の供給を受けて、空気調和ユニットを動作させることができるとともに、蓄電池に発電電力を供給して蓄電させることができる。
【発明の効果】
【００１０】
本発明によれば、災害時等に、外部電源からの外部電力の供給が遮断された場合に蓄電池に蓄電された蓄電電力を有効に活用することができる。
【発明を実施するための最良の形態】
【００１１】
以下、図面を参照して本発明の実施の形態を説明する。
図１に、本実施の形態の蓄電式空気調和装置１００の概略構成を示す。図１に示すように蓄電式空気調和装置１００は、空気調和ユニット１０と、蓄電池２１を有する蓄電ユニット２０とを備え、外部電源としての商用電源３０と内部電源としての発電装置４０から電力の供給を受けるように構成されている。また、蓄電ユニット２０には外部機器接続部５０および外部機器の一つとしての非常灯６０が接続されており、蓄電池２１に蓄電された蓄電電力を外部機器接続部５０を介して非常灯６０以外の外部機器５０ａに供給したり、非常灯６０を点灯させたりできるように構成されている。
【００１２】
本実施の形態の蓄電式空気調和装置１００は、上記構成に基づき、商用電源３０から供給される交流電力および発電装置４０から供給される発電電力を利用して、空気調和動作および蓄電池２１の充電を行えるように構成されている。
但し、蓄電池２１の充電を商用電源３０から供給される商用電力を用いて行う場合には、電力需要が低く、電力料金の安い深夜電力時間帯に行うことが好ましい。また、蓄電池２１に蓄電された蓄電電力は、基本的には真夏の昼間等の電力需要ピーク時に空気調和ユニット１０に供給するように構成されており、これにより電力負荷の平準化に寄与することができる。
【００１３】
上記において、発電装置４０は自然力を利用して発電を行う装置であり、例えば、風力発電装置や太陽光発電装置等が具体例として挙げられる。このように自然力を利用して発電することにより、災害時等に停電が発生した場合にも、発電装置４０により発電された発電電力を用いて蓄電式空気調和装置１００を作動させて空気調和動作を行わせることができ、また、蓄電池２１の充電を行うことができる。
【００１４】
空気調和ユニット１０は、図２に示す室外機１１と、当該室外機１１に図示しない冷媒回路にて接続された一又は複数の室内機とを備えるものである。この空気調和ユニット１０には、商用電源３０と交流電力供給ライン３１を介して接続されている。また、上述したように発電装置４０から発電電力の供給を受けることができる。なお、空気調和ユニット１０は内部にＡＣ−ＤＣコンバータ（図示略）を備え、このＡＣ−ＤＣコンバータにおいて商用電源３０から供給される交流電力を所定の電圧の直流電力に変換して、直流電力により作動する。
【００１５】
室外機１１は、筐体１２内に室外熱交換器（図示略）や、この室外熱交換器に外気を送風する送風機１３等を備え、筐体１２の下部は蓄電ユニット２０が収容される蓄電ユニット収容部１４となっている。また、筐体１２の下部には開閉扉１５が設けられ、この開閉扉１５を開けると上記外部機器接続部５０としてのコンセントが外部に露出するように配置されている。外部機器接続部５０には、プラグを有する外部機器５０ａを接続することができる。外部機器５０ａはプラグをコンセントに差し込むことで、電力の供給を受けて作動するものであれば、どの様なものであってもよい。例えば、テレビ、ラジオ、携帯電話等の通信機器の充電器等を外部機器５０ａの具体例として挙げることができる。また、筐体１２の側部上方には外部機器の一つとしての非常灯６０が設置されており、上述した様に、非常灯６０は蓄電ユニット２０から蓄電電力の供給を受けて点灯する。また、室外機１１の筐体１２には照度センサ（明るさ検出部）１６（図１参照）が設けられており、この照度センサ１６により周囲の明るさを検出できるようになっている。
【００１６】
一方、蓄電ユニット２０は、図１に示す様に、上記蓄電池２１と、各種電力ラインと接続されてこれら電力ラインの接続を切り換える電力ライン接続制御部２２と、蓄電池２１を充電する充電器２３と、蓄電池２１から放電された蓄電電力を所定電圧の直流電力に変換するＤＣ−ＤＣコンバータ２４と、蓄電池２１に蓄電された蓄電電力を外部機器接続部５０を介して接続される外部機器５０ａまたは非常灯６０に供給可能な外部機器蓄電電力供給部（蓄電電力供給部）２５と、蓄電池２１の充放電を管理する充放電管理部２６と、蓄電コントロールパネル２７と、蓄電池２１の充放電および電力ラインの切り換え等を制御するとともに、空気調和ユニット１０との間で制御信号の送受を行う蓄電空調コントローラ２８とを備えている。
【００１７】
蓄電池２１は、例えば、鉛蓄電池、ナトリウム・硫黄電池、ナトリウム・ニッケル塩化物電池、リチウムイオン二次電池、リチウムイオンポリマー二次電池、ニッケル水素蓄電池、ニッケルカドミウム蓄電池、電気二重層キャパシタ等を用いることができる。
【００１８】
電力ライン接続制御部２２は、ブレーカ、マグネットスイッチ等を備えて、電力ライン接続制御部２２に接続される各種電力ラインを選択的に接続し、あるいは接続の解除を行うことにより各種電力ラインの接続を切り換えるものである。
【００１９】
具体的には、電力ライン接続制御部２２には、商用電源３０から空気調和ユニット１０に対して交流電力の供給が行われる交流電力供給ライン３１から分岐する副交流電力供給ライン３２が接続されている。また、電力ライン接続制御部２２には、副交流電力供給ライン３２を介して商用電源３０から供給される交流電力を充電器２３に供給するための第一の充電電力供給ライン７１が接続されている。電力ライン接続制御部２２は、蓄電空調コントローラ２８の制御の下、この副交流電力供給ライン３２と第一の充電電力供給ライン７１の接続および接続の解除を行う。
【００２０】
また、電力ライン接続制御部２２には、蓄電池２１と接続される第一の放電電力供給ライン７２が接続される。さらに、この第一の放電電力供給ライン７２を介して蓄電池２１から供給される蓄電電力をＤＣ−ＤＣコンバータ２４に供給するための第二の放電電力供給ライン７３が接続されている。電力ライン接続制御部２２は、蓄電空調コントローラ２８の制御の下、第一の放電電力供給ライン７２と第二の放電電力供給ライン７３との接続および接続の解除を行う。第一の放電電力供給ライン７２と第二の放電電力供給ライン７３とが接続されると、空気調和ユニット１０に対して蓄電電力を供給することができる。
【００２１】
さらに、本実施の形態では、電力ライン接続制御部２２は、外部機器蓄電電力供給部２５と第三の放電電力供給ライン７４を介して接続されている。電力ライン接続制御部２２は、蓄電空調コントローラ２８の制御の下、第一の放電電力供給ライン７２と第三の放電電力供給ライン７４との接続および接続の解除を行う。第一の放電電力供給ライン７２と第三の放電電力供給ライン７４とが接続されると、外部機器蓄電電力供給部２５を介して外部機器接続部５０に接続される外部機器５０ａまたは非常灯６０に蓄電電力を供給することができる。
【００２２】
また、発電装置４０と電力ライン接続制御部２２とは発電電力供給ライン８１を介して接続されている。電力ライン接続制御部２２は、蓄電空調コントローラ２８の制御の下、発電電力供給ライン８１と第二の放電電力供給ライン７３との接続および接続の解除を行う。発電電力供給ライン８１と第二の放電電力供給ライン７３とが接続されると空気調和ユニット１０に発電電力を供給することができる。
【００２３】
また、電力ライン接続制御部２２は、蓄電空調コントローラ２８の制御の下、発電電力供給ライン８１と第一の充電電力供給ライン７１との接続および接続の解除を行う。蓄電空調コントローラ２８の制御の下、発電電力供給ライン８１と第一の充電電力供給ライン７１とが接続されると、蓄電池２１に発電電力を供給して蓄電池２１を充電させることができる。
【００２４】
充電器２３は、電力ライン接続制御部２２を介して第一の充電電力供給ライン７１から供給される交流電力を直流電力に変換して第二の充電電力供給ライン７７に出力するＤＣ−ＡＣコンバータ（図示略）を内蔵している。
【００２５】
また、充電器２３は、電力ライン接続制御部２２を介して発電装置４０から供給された直流の発電電力を所定電圧の直流電力に変換して第二の充電電力供給ライン７７に出力するＡＣ−ＡＣコンバータ（図示略）を内蔵している。
そして、充電器２３は、蓄電空調コントローラ２８の制御の下、第二の充電電力供給ライン７７を介して蓄電池２１に直流電力を供給し、蓄電池２１を充電させる。
【００２６】
ＤＣ−ＤＣコンバータ２４は、電力ライン接続制御部２２と第二の放電電力供給ライン７３を介して接続されており、空気調和ユニット１０と蓄電電力供給ライン７８を介して接続されている。ＤＣ−ＤＣコンバータ２４は、蓄電空調コントローラ２８の制御の下、電力ライン接続制御部２２を介して第二の放電電力供給ライン７３から供給される直流電力を所定の電圧の直流電力に変換して、蓄電電力供給ライン７８を介して空気調和ユニット１０に直流電力を供給する。
【００２７】
外部機器蓄電電力供給部２５は、電力ライン接続制御部２２と第三の放電電力供給ライン７４と接続されており、外部機器接続部５０と外部機器電力供給ライン７５を介して接続されており、非常灯電力供給ライン７６を介して非常灯６０に接続されている。外部機器蓄電電力供給部２５は、第三の放電電力供給ライン７４を介して蓄電池２１から供給される蓄電電力を所定電圧の交流電力に変換するインバータを内蔵し、このインバータにより変換された所定電圧の交流電力を外部機器電力供給ライン７５又は非常灯電力供給ライン７６を介して外部機器接続部５０に接続される外部機器５０ａ又は非常灯６０に出力するものである。
【００２８】
充放電管理部２６は、蓄電池２１の電池残量（蓄電残量）を検出する残量検出器（残量検出部）２６ａを有し、蓄電池２１の種類毎にその特性に応じて充放電を管理するものである。充放電管理部２６は、蓄電空調コントローラ２８の制御の下、蓄電池２１の蓄電残量を検出し、この蓄電残量に関する情報を蓄電空調コントローラ２８に出力する。
【００２９】
蓄電コントロールパネル２７は、液晶パネル等から構成される表示部や、各種入力ボタンを有する操作部等を備え、操作部を介して各種指示信号を入力したり、設定内容等を表示部に表示させたりすることができるように構成されている。
【００３０】
この蓄電コントロールパネル２７を介して、ユーザ等が災害時等に商用電源３０からの商用電力の供給が遮断された場合に、蓄電池２１から外部機器５０ａに供給すべき電力量（最小蓄電電力量）等を想定して、蓄電池２１に常に保持させておくべき最小蓄電残量を設定することができるように構成されている。この最小蓄電残量は、外部機器蓄電電力供給部２５を介して外部機器５０ａおよび非常灯６０に供給すべき電力量に応じて適宜設定することができ、具体的には、蓄電池２１の蓄電容量の１／２、１／３等、任意の容量（例えば、ＫＷｈ）を予め設定しておくことができる。
【００３１】
蓄電空調コントローラ２８は、図示しない、ＭＰＵ、ＲＯＭ、ＲＡＭ、計時回路等を備え、これらの協働の下、コンピュータ制御により、上述した電力ライン接続制御部２２、充電器２３、ＤＣ−ＤＣコンバータ２４、充放電管理部２６、蓄電コントロールパネル２７を制御するものである。ただし、これら電力ライン接続制御部２２、充電器２３、ＤＣ−ＤＣコンバータ２４、充放電管理部２６、蓄電コントロールパネル２７と蓄電空調コントローラ２８とは信号ライン９１〜９５を介してそれぞれ接続されている。
【００３２】
また、蓄電空調コントローラ２８は、照度センサ１６と信号ライン９６を介して接続されており、室外機１１の周囲の明るさを表す照度信号が蓄電空調コントローラ２８に入力されるように構成されている。
【００３３】
また、蓄電空調コントローラ２８は信号ライン９７を介して空気調和ユニット１０と接続されている。蓄電空調コントローラ２８は、空気調和ユニット１０を蓄電電力により作動させる場合は、信号ライン９７を介して空気調和ユニット１０に制御信号を送信し、蓄電電力供給ライン７８を介して供給される蓄電電力を動作電力とするように制御する。
【００３４】
また、蓄電空調コントローラ２８は、上述の様に、充放電管理部２６と信号ライン９４を介して接続されており、この充放電管理部２６に各種制御信号を送り、蓄電池２１の充放電を制御する。具体的には、計時回路により計時された時間に基づいて、例えば、深夜電力時間帯等の予め充電時間帯として設定された所定の時間帯の開始時間に至ると蓄電池２１の充電を開始する。
【００３５】
また、蓄電空調コントローラ２８は電力需要ピーク時等の予め放電時間帯として設定された所定の時間帯の開始時間に至ると蓄電池２１を放電させて、蓄電電力を空気調和ユニット１０に供給するように、充放電管理部２６および電力ライン接続制御部２２を制御する。本実施の形態の蓄電式空気調和装置１００は、蓄電空調コントローラ２８は、災害時等に、外部電源（商用電源３０および発電装置４０）からの外部電力の供給が遮断された場合に、少なくとも所定の最小蓄電電力を外部機器蓄電電力供給部２５を介して外部機器５０ａおよび非常灯６０に供給できるように、予め設定された最小蓄電残量が蓄電池２１に保持された状態で蓄電池２１から空気調和ユニット１０に対する蓄電電力の供給を行うように制御する。
【００３６】
図３を参照して、蓄電空調コントローラ２８の制御の下で行われる蓄電池２１の放電に関する動作を説明する。
まず、放電時間帯の開始時間に至ると（ステップＳ１：Ｙ）、蓄電池２１の放電を行う（ステップＳ３）。
【００３７】
ここで、蓄電池２１を放電させるに際して、蓄電空調コントローラ２８は、電力ライン接続制御部２２、ＤＣ−ＤＣコンバータ２４、充放電管理部２６、空気調和ユニット１０に制御信号を送信し、第一の放電電力供給ライン７２と、第二の放電電力供給ライン７３とを接続させて蓄電池２１から出力される蓄電電力が空気調和ユニット１０に供給されるように制御する。
【００３８】
次に、蓄電空調コントローラ２８は、充放電管理部２６に制御信号を送信し、残量検出器２６ａにより蓄電池２１の蓄電残量を検出させる（ステップＳ３）。ここで、蓄電池２１の蓄電残量を検出させるに際し、蓄電空調コントローラ２８は、内蔵する計時回路により計時して、所定の時間間隔で蓄電池２１の蓄電残量を検出させてもよい。
【００３９】
次に、残量検出器２６ａから出力される蓄電残量が予め設定された最小蓄電残量となったか否かを判別する（ステップＳ４）。ここで、蓄電池２１の蓄電残量が蓄電コントロールパネル２７を介して予め設定された最小蓄電残量よりも多い場合は、ステップＳ１に戻り蓄電池２１の放電を継続する。
【００４０】
一方、ステップＳ４において、蓄電池２１の蓄電残量が予め設定された最小蓄電残量となった場合（ステップＳ４：Ｙ）には、蓄電空調コントローラ２８は電力ライン接続制御部２２、ＤＣ−ＤＣコンバータ２４、充放電管理部２６、空気調和ユニット１０に制御信号を送り、第一の放電電力供給ライン７２と第二の放電電力供給ライン７３の接続を解除するとともに、蓄電池２１の放電を停止させ、空気調和ユニット１０には商用電源３０又は発電装置４０から供給される外部電力により空気調和動作を行うよう制御する。
【００４１】
図３に示すように、空気調和ユニット１０に対して蓄電電力を供給するに際して、常に蓄電池２１の蓄電残量が予め設定された最小蓄電残量を保持されるように、空気調和ユニット１０に供給する蓄電電力量を制御することによって、災害等により商用電源３０からの外部電力の供給が遮断された場合であっても、外部機器蓄電電力供給部２５を介して、外部機器接続部５０に接続される外部機器５０ａや非常灯６０に蓄電池２１に蓄電された最小蓄電残量に対応する最小蓄電電力を供給することができ、蓄電池２１に蓄電された蓄電電力を有効に活用することができる。
【００４２】
次に、図４を参照して、蓄電空調コントローラ２８により実行される非常灯６０の点灯、消灯に関する動作を説明する。この処理はステップＳ１に示すように商用電源３０からの外部電力の供給が遮断された場合であって、室外機１１の周囲の明るさが予め設定された所定の明るさよりも暗い場合に非常灯６０を点灯させるための処理である。
【００４３】
まず、蓄電式空気調和装置１００に対して、外部電力の供給が遮断されたことが検出されると（ステップＳ１１：Ｙ）、蓄電空調コントローラ２８は、照度センサ１６から入力される照度信号が予め設定された所定値以下か否かに基づき、周囲の明るさが予め設定された所定の明るさよりも暗いか否かを判別する（ステップＳ１２）。
【００４４】
ステップＳ１２において、室外機１１の周囲の明るさが予め設定された所定の明るさよりも暗いと判別されると（ステップＳ１２：Ｙ）、蓄電空調コントローラ２８は照度センサ１６から入力される照度信号に基づき、周囲の明るさが所定の明るさよりも明るくなるまで非常灯６０の点灯を継続させる（ステップＳ１３）。
【００４５】
そして、照度センサ１６から入力される照度信号に基づき、周囲の明るさが所定の明るさよりも明るくなると（ステップＳ１４：Ｙ）、非常灯６０を消灯させる（ステップＳ１５）。以上の処理を商用電源３０からの外部電力の供給が開始されるまでの間繰り返し行い、外部電力の供給が開始されると（ステップＳ１６）、処理を終了する。
【００４６】
図４に示すように、商用電源３０から外部電力の供給が遮断された場合であっても、非常灯６０に蓄電電力を供給して、非常灯６０を点灯させることができる。この際、蓄電空調コントローラ２８は、照度センサ１６から入力される照度信号に基づき、室外機１１の周囲の明るさが予め設定された所定の明るさよりも暗い場合に、非常灯６０に蓄電電力を供給するように制御するので、周囲が暗く点灯の必要がある場合にのみ非常灯６０に蓄電電力を供給することができ、災害時等に蓄電電力の消費を抑えることができる。
【００４７】
以上説明した本実施の形態によれば、学校等の公共施設に導入されることの多い蓄電式空気調和装置１００において、蓄電池２１に蓄電された蓄電電力を用いて外部機器接続部５０に接続された外部機器５０ａに蓄電電力を供給したり、非常灯６０を点灯させたりする構成としているので、例えば、災害時の避難場所として指定される場合の多い公共施設において避難民に電力を供給することができ、蓄電池２１の蓄電電力を有効に活用することができる。
【００４８】
但し、上記実施の形態は本発明の一態様であり、本発明の趣旨を逸脱しない範囲において適宜変更可能であるのは勿論である。例えば、上記実施の形態では、非常灯６０を室外機１１の筐体１２に設置するものとしたが、蓄電式空気調和装置１００と離れた位置に設置してもよいのは勿論である。
【図面の簡単な説明】
【００４９】
【図１】本発明の実施の形態の蓄電式空気調和装置の概略構成を示すブロック図である。
【図２】蓄電式空気調和装置の一部を構成する室外機の外観構成例を示す正面図（ａ）、側面図（ｂ）である。
【図３】本発明の実施の形態の蓄電池の放電動作に関する処理フローチャートである。
【図４】本発明の実施の形態の非常灯の点灯に関する処理フローチャートである。
【符号の説明】
【００５０】
１０  空気調和ユニット
１１  室外機
１６  照度センサ（明るさ検出部）
２０  蓄電ユニット
２１  蓄電池
２２  電力ライン接続制御部
２３  充電器
２４  ＤＣ−ＤＣコンバータ
２５  外部機器蓄電電力供給部（蓄電電力供給部）
２６  充放電管理部
２６ａ  残量検出器（残量検出部）
２７  蓄電コントロールパネル
２８  蓄電空調コントローラ（給電制御部）
３０  商用電源（外部電源）
４０  発電装置（内部電源）
５０  外部機器接続部
５０ａ  外部機器
６０  非常灯（外部機器）
１００  蓄電式空気調和装置
【図１】
2008128605.tif 000003
【図２】
2008128605.tif 000004
【図３】
2008128605.tif 000005
【図４】
2008128605.tif 000006